(57)【要約】      （修正有）【課題】粉塵と髪の毛をしっかりと捕まえる埃除け布の立体集塵構造を提供する。  【解決手段】不織布本体１の繊維組織布層２の表面に、交差して間隔を開けて分布する複数行の縦凸ブロック３、及び交差して間隔を開けて分布する複数列の横凸ブロック４を形成する。且つ、複数の縦凸ブロック３と複数の横凸ブロック４は互いに交差して間隔を開けて排列分布する。各縦凸ブロック３、横凸ブロック４の両端はそれぞれ相対して外端円弧型５、６を設ける。及び各縦凸ブロック３、横凸ブロック４の両側はそれぞれ相対して内側円弧型７、８を設ける。各縦凸ブロック３の二つの内側円弧型７、８と、相隣する横凸ブロック４の相対する外端円弧型５、６の底縁の間に、間隔を開けて縦彎曲溝９を構成する。且つ各縦凸ブロック３の二つの外端円弧型５、６と相隣する横凸ブロック４の相対する内側円弧型７、８の底縁の間に、間隔を開けて横彎曲溝１０を構成することで、多層の立体模様繊維組織の超強力の集塵パワーを強める。【選択図】図２
0003206535.tif 000002
【実用新案登録請求の範囲】
【請求項１】
不織布本体の繊維組織布層の表面に、交差して間隔を開けて分布する複数行の縦凸ブロック、及び交差して間隔を開けて分布する複数列の横凸ブロックを形成し、且つ、前記縦凸ブロックと前記横凸ブロックは互いに交差して間隔を開けて排列分布し、
前記縦凸ブロック、前記横凸ブロックの両端はそれぞれ相対して外端円弧型を設け、及び前記縦凸ブロック、前記横凸ブロックの両側はそれぞれ相対して内側円弧型を設け、
前記縦凸ブロックの二つの内側円弧型と、相隣する前記横凸ブロックの相対する外端円弧型の底縁の間に、間隔を開けて縦彎曲溝を構成し、且つ前記縦凸ブロックの二つの外端円弧型と相隣する前記横凸ブロックの相対する内側円弧型の底縁の間に、間隔を開けて横彎曲溝を構成することを特徴とする埃除け布の立体集塵構造。
【請求項２】
前記繊維組織布層の前記縦凸ブロック、前記横凸ブロックはふわふわ状の繊維を設け、且つ前記縦凸ブロック、前記凸ブロックの断面を上が狭く下が広い状態に設けることを特徴とする請求項１記載の埃除け布の立体集塵構造。
【請求項３】
各行の複数の前記縦凸ブロックの複数の前記縦彎曲溝は順に繋いで波状に延伸し、交差して相対する前記横彎曲溝と接続することを特徴とする請求項１記載の埃除け布の立体集塵構造。
【請求項４】
各列の複数の前記横凸ブロックの複数の前記横彎曲溝は順に繋いで波状に延伸し、交差して相対する前記縦彎曲溝と接続することを特徴とする請求項１記載の埃除け布の立体集塵構造。
【請求項５】
前記繊維組織布層の複数の前記縦彎曲溝、前記横彎曲溝はそれぞれ密着した溝に設けることを特徴とする請求項１記載の埃除け布の立体集塵構造。
【考案の詳細な説明】
【技術分野】
【０００１】
本考案は埃除け布の立体集塵構造に関し、特に埃除けシート、埃除けカバー、埃除けモップに使用する埃除け布の立体集塵構造に関する。
【背景技術】
【０００２】
目下多くの家庭及びオフィスなどで埃除けシート、埃除けカバー(手袋タイプ)及び埃除けモップが使用されており、便利に素早く拭いて粉塵と髪の毛を付着させる。
【０００３】
一般の埃除けシート、埃除けカバー及び埃除けモップは、単純な不織布の構造を採用し、それは表面が比較的平坦であるだけでなく、それ自身の繊維の毛が大変短いため、粉塵と髪の毛を拭いて付着させる効果に限りがあり、理想的ではない。
【０００４】
よって現在の埃除けシート、埃除けカバー及び埃除けモップは、比較的長い繊維の布に発展し、粉塵と髪の毛を拭いて付着させる効果を上げる。しかし、その繊維の毛と布本体の接続性が悪く、よって繊維の毛が脱落する現象が起こりやすく、それに相対して埃除け効果及び使用寿命に影響する。また、コストが大変高いなどを鑑みて、更なる改善が必要であった。
【先行技術文献】
【特許文献】
【０００５】
【特許文献１】特開2007-113167号公報
【考案の概要】
【考案が解決しようとする課題】
【０００６】
前記公知構造の欠点を解決するため、本考案は繊維の組織布層を利用して、複数の行列が交差する縦凸ブロック、横凸ブロックを形成し、且つ連続して複数の縦彎曲溝と横彎曲溝と合わせて接続することで、多層の立体模様繊維組織の超強力の集塵パワーを強めることで、無数の繊維集塵の隙間が、粉塵と髪の毛をしっかりと捕まえることができ、大幅に埃除け効果をアップする埃除け布の立体集塵構造を提供することを主な課題とする。
【課題を解決するための手段】
【０００７】
前記課題を解決するために、本考案は埃除け布の立体集塵構造を提供するものである。不織布本体の繊維組織布層の表面に、交差して間隔を開けて分布する複数行の縦凸ブロック、及び交差して間隔を開けて分布する複数列の横凸ブロックを形成する。且つ、複数の縦凸ブロックと複数の横凸ブロックは互いに交差して間隔を開けて排列分布する。各縦凸ブロック、横凸ブロックの両端はそれぞれ相対して外端円弧型を設ける。及び各縦凸ブロック、横凸ブロックの両側はそれぞれ相対して内側円弧型を設ける。各縦凸ブロックの二つの内側円弧型と、相隣する横凸ブロックの相対する外端円弧型の底縁の間に、間隔を開けて縦彎曲溝を構成する。且つ各縦凸ブロックの二つの外端円弧型と相隣する横凸ブロックの相対する内側円弧型の底縁の間に、間隔を開けて横彎曲溝を構成する。
【０００８】
前記埃除け布の立体集塵構造において、該繊維組織布層の各縦凸ブロック、横凸ブロックはふわふわ状の繊維に設け、且つ各縦凸ブロック、横凸ブロックの断面を上が狭く下が広い状態に設ける。
【０００９】
前記埃除け布の立体集塵構造において、該各行の複数の縦凸ブロックの複数の縦彎曲溝は順に繋いで波状に延伸し、交差して各相対する横彎曲溝と接続する。
【００１０】
前記埃除け布の立体集塵構造において、該各列の複数の横凸ブロックの複数の横彎曲溝は順に繋いで波状に延伸し、交差して各相対する縦彎曲溝と接続する。
【００１１】
前記埃除け布の立体集塵構造において、該繊維組織布層の複数の縦彎曲溝、横彎曲溝はそれぞれ密着した溝に設ける。
【考案の効果】
【００１２】
本考案の構造により、多層の立体模様繊維組織の超強力の集塵パワーが強まり、無数の繊維集塵の隙間が、粉塵と髪の毛をしっかりと捕まえることができ、大幅に埃除け効果をアップする。
【図面の簡単な説明】
【００１３】
【図１】本考案の実施例である埃除け布局部拡大の略図である。
【図２】図１の埃除け布局部の再拡大図である。
【図３】図１の埃除け布局部の再拡大の立体図である。
【図４】図１の埃除け布のＡ〜Ａの線の断面図である。
【図５】図１の埃除け布成型用繊維組織布層の略図である。
【図６】図５の繊維組織布層の断面図である。
【考案を実施するための形態】
【００１４】
以下、本考案の構造と特徴および効果を、最良実施例と図面を参照しながら詳細に説明する。
【実施例】
【００１５】
図１、図２及び図３に示すように、本考案の埃除け布は主に埃除けシート、埃除けカバー、埃除けモップに適用する。図に示すように、本考案の埃除け布は主に不織布本体１の繊維組織布層２の上に、自動的に加工するのを実施し、順に無数本の行列が交差配置する縦凸ブロック３と横凸ブロック４を成型し、それにより流線型多層式の立体模様繊維組織の集塵構造になる。
【００１６】
上記の埃除け布はポリエチレン繊維、ポリプロピレン繊維或いは複合繊維などの材質を原料とし、更に不織布加工機械により、図５及び図６に示すようなふわふわとした繊維組織布層２に作る。そして繊維組織布層２は長い方向に沿って成型機の中に送られ、そして連続してホットウィ−ル表面にある複数に排列分布する造形エンボス(図に未掲載)を通過し、順に無数個の縦凸ブロック３と横凸ブロック４をホットプレスして成型し、最後に加熱乾燥して定型し、埃除け布及び不織布本体１になる。
【００１７】
図１から図４に示す実施例において、本考案の埃除け布の主な特徴は、不織布本体１は少なくとも繊維組織布層２の表面に、交差して間隔を開けて分布する複数行の縦凸ブロック３及び、交差して間隔を開けて分布する複数列の横凸ブロック４を形成し、且つ複数の縦凸ブロック３と複数の横凸ブロック４は互いに交差して間隔を開けて排列分布する。各縦凸ブロック３、横凸ブロック４の両端はそれぞれ相対して外端円弧型５、６に設け、及び各縦凸ブロック３、横凸ブロック４の両側は、それぞれ相対して内側円弧型７、８に設ける。各縦凸ブロック３の二つの内側円弧型７と、相隣する横凸ブロック４の相対する外端円弧型６の底縁の間に、間隔を開けて縦彎曲溝９を構成する。各縦凸ブロック３の二つの外端円弧型５と、相隣する横凸ブロック４の相対する内側円弧型８の底縁の間に、間隔を開けて横彎曲溝１０を構成する。且つ繊維組織布層２の複数の縦彎曲溝９、横彎曲溝１０はそれぞれ密着した溝に設ける。
【００１８】
図１から図４に示すように、本考案の埃除け布の立体集塵構造において、繊維組織布層２の各縦凸ブロック３、横凸ブロック４はいずれもふわふわした繊維に設け、更に各縦凸ブロック３、横凸ブロック４の断面を上が狭く下が広い状態に設ける。図に示すように、各行の複数の縦凸ブロック３の縦彎曲溝９は順に繋いで波状に延伸し、交差して各相対する横彎曲溝１０と接続する。各列の複数の横凸ブロック４の横彎曲溝１０は順に繋いで波状に延伸し、交差して各相対する縦彎曲溝９と接続する。
【００１９】
上記のように、本考案の埃除け布は繊維の組織布層２を利用して、複数の行列が交差する縦凸ブロック３、横凸ブロック４を形成し、且つ連続して複数の縦彎曲溝９と横彎曲溝１０と合わせて接続することで、多層の立体模様繊維組織の超強力の集塵パワーを強めることで、無数の繊維集塵の隙間が、粉塵と髪の毛をしっかりと捕まえることができ、大幅に埃除け効果をアップする。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１  不織布本体
２  纖維組織布層
３  縱凸ブロック
４  横凸ブロック
５  外端円弧型
６  外端円弧型
７  内側円弧型
８  内側円弧型
９  縦彎曲溝
１０  横彎曲溝
【図１】
0003206535.tif 000003
【図２】
0003206535.tif 000004
【図３】
0003206535.tif 000005
【図４】
0003206535.tif 000006
【図５】
0003206535.tif 000007
【図６】
0003206535.tif 000008